【手続補正書】
【提出日】平成18年10月3日(2006.10.3)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  制御基盤が内部に設けられた基盤ボックスと、第１部材と、その第１部材とは別に設けられる第２部材と、頭部を有して前記第１部材と第２部材とを締結する締結部材とを備え、その締結部材によって前記第１部材と第２部材とが締結されている場合に前記基盤ボックスから制御基盤を取り出すときには基盤ボックスを破壊するか或いは所定の部位を切断することを必要とする遊技機において、
前記第１部材と第２部材とを締結する締結部材の頭部の外周を囲いつつ一方側が開口して形成されるホルダー部と、
そのホルダー部内に嵌め込まれる栓部材とを備え、
前記締結部材の頭部外周を囲うホルダー部は、その開口内に嵌め込まれる栓部材が収まる深さに形成され、そのホルダー部に前記栓部材が嵌め込み固定されていることを特徴とする遊技機。
【発明の詳細な説明】
【０００１】
【発明の属する技術分野】
本発明は、制御基盤を収納する遊技機用基盤ボックス（以下単に基盤ボックスという。）を備えた遊技機に関する。
【０００２】
【従来の技術】
現在のパチンコ機やスロットマシーンは、マイクロコンピューターを含む制御基盤で遊技内容が制御されている。この制御基盤は、四角い箱形の基盤ボックスに収められていて、通常、遊技板の裏側や機構板に取り付けられている。前記基盤ボックスは、ボックスベースにボックスカバーを被せた構造である。
【０００３】
ところで、基盤ボックス内の制御基盤から内蔵ロムを外して交換し、遊技内容を変更する不正行為が近年問題になっている。そのような不正行為を防止するため、封印ねじを使ってボックスベースとボックスカバーを接合するようにした技術がある。この封印ねじとは、例えば、締め付け方向にのみドライバーと係合する特殊な十字溝を頭部に形成したもので、緩める方向に対してドライバーが空回りするようになっている。従って、封印ねじでボックスベースに接合したボックスカバーは通常取り外せない。
【０００４】
【発明が解決しようとする課題】
しかしながら、上記封印ねじでも完全に封印できる訳ではない。例えば、封印ねじの十字溝に非常に強い力でドライバーを押し付けると、緩み方向に回すことができる場合がある。そうすると、封印ねじが外れるからボックスカバーを開くことができる。
【０００５】
本発明は、上記に鑑みなされたもので、その目的は、基盤ボックスの封印をより完全にすることができる遊技機を提供することにある。
【０００６】
【課題を解決するための手段】
上記の目的を達成するため本発明は、制御基盤が内部に設けられた基盤ボックスと、第１部材と、その第１部材とは別に設けられる第２部材と、頭部を有して前記第１部材と第２部材とを締結する締結部材とを備え、その締結部材によって前記第１部材と第２部材とが締結されている場合に前記基盤ボックスから制御基盤を取り出すときには基盤ボックスを破壊するか或いは所定の部位を切断することを必要とする遊技機において、前記第１部材と第２部材とを締結する締結部材の頭部の外周を囲いつつ一方側が開口して形成されるホルダー部と、そのホルダー部内に嵌め込まれる栓部材とを備え、前記締結部材の頭部外周を囲うホルダー部は、その開口内に嵌め込まれる栓部材が収まる深さに形成され、そのホルダー部に前記栓部材が嵌め込み固定されている遊技機を提供する。
【０００７】
本発明の遊技機は、ホルダー部に栓部材を嵌め込み固定することによりその栓部材で締結部材をブロックするため、締結部材を緩めようとする不正工作を封じることができる。
【０００８】
【発明の実施形態１】
以下に本発明の実施形態１を図１〜図６を参照しつつ説明する。なお、図１は要部を示す基盤ボックスの分解斜視図、図２はパチンコ機の裏面図、図３は一部を断面にした基盤ボックスの正面図、図４及び図５は基盤ボックスの平面図、図６は基盤ボックスの要部断面図である。
【０００９】
基盤ボックス１は、図２に示したように例えば遊技機の一種であるパチンコ機Ｐにおいて、遊技板２の裏側に設けた入賞球集合カバー３に取り付けられている。基盤ボックス１は、金属製で四角い箱形のボックスベース１ａと、透明な合成樹脂製で四角い箱形のボックスカバー１ｂとの組合せであって、内蔵ロムなどの電子部品の集合体である制御基盤（図示せず）が内部に収められている。
【００１０】
しかして、前記ボックスカバー１ｂの上下側面には、中央の取付片１８を挟んで左右にねじ止め片４がそれぞれ２つづつ設けられている。各ねじ止め片４には、円筒形状の球ホルダー５が突設されており、その球ホルダー５の中心部分に前記封印ねじ（段落番号０００３参照）を通すためのねじ通孔６が穿設されている。また、ねじ止め片４は、コーナー部分を挟んで正面側に切欠部７が設けられていて、図１に示したように基端部の幅ｘがねじ止め片４の幅ｙより小さく（好ましくはｘ／ｙ＝１／３〜２／３）なっている。前記球ホルダー５は、パチンコ球がきつく嵌まる内径とすっぽり収まる深さを有し、入口部分にパチンコ球の嵌め込みを容易にする目的で緩やかなテーパ部８が設けてある。この球ホルダー５にパチンコ球を強制的に押し込むと、きつく嵌まった状態で全部が中に沈み込む。そして、一旦球ホルダー５に嵌まり込んだパチンコ球は、球ホルダー５の入口部分から球面の一部が見えるものの、すっぽり収まっていてつかみ所がないため取り出せない。このことから明らかなように、本実施形態１における球ホルダー５の嵌め殺し構造は、球ホルダー５の内径と深さの有機的結合である。なお、球ホルダー５の嵌め殺し構造はどのようなものでもよいのであって、例えば球ホルダー５の入口部分に逆止弁的な作用の爪片を設けてパチンコ球が抜け出さないようにしてもよい。
【００１１】
一方、前記ボックスベース１ａの上下側面には、前記ボックスカバー１ｂの取付片１８に穿設した取付孔１９に対応させて雌ねじ孔２０が設けられ、また、ねじ止め片４に穿設したねじ通孔６に対応させてねじ孔９が設けられている。
【００１２】
その他、図面中、符号１０はボックスカバー１ｂ（ボックスベース１ａでもよい。）に設けた仕切板である。この仕切板１０は、封印手段と制御基盤の間で基盤ボックス１の内部を間仕切りするものであり、後述するようにねじ止め片４を切断する際に、第一に切断屑などの異物が制御基盤の上に落下しないようにし、第二に基盤ボックス１内のリード線（例えば確率変動スイッチ１１（図３参照）と制御基盤を繋ぐリード線）の誤切断を防止する。
【００１３】
また、前記仕切板１０を設ける代わりに、図５に示したようにねじ止め片４の切欠部７（切断部）をボックスカバー１ｂの上下側面側（ボックスベース１ａの外側）に設けるようにしてもよい。こうすることにより前記仕切板１０を設けた場合と同じく、ねじ止め片４を切断する際に、第一に切断屑などの異物が制御基盤の上に落下するおそれがなく、第二に基盤ボックス１内のリード線（例えば確率変動スイッチ１１（図３参照）と制御基盤を繋ぐリード線）の誤切断を防止する。なお、図６に示したように、ねじ止め片４の一部にボックスベース１ａの外側に向けて突き出す折返し部２１を形成し、その折返し部２１を切断（折返し部２１の二重の部分をニッパで切断するか、或いは折返し部２１をペンチで挟んで湾曲部分を破壊する。）してねじ止め片４を切り離すようにしてもよい。こうすることにより、上記制御基盤上への異物の落下防止やリード線の誤切断防止の効果に加えて、ねじ止め片４の切断作業が能率良く行える。
【００１４】
次ぎに、上記基盤ボックス１の使用方法について説明する。先ず、ボックスベース１ａにボックスカバー１ｂを被せ、取付片１８の取付孔１９に繰り返し使用可能な普通のねじ２２を通し、それをボックスベース１ａの雌ねじ孔２０に入れて締め付ける。次ぎに、上下各１つのねじ止め片４のねじ通孔６に封印ねじ１２を通し、その封印ねじ１２をドライバーなどの工具で回してボックスベース１ａのねじ孔９にきつく締め付ける。そして、球ホルダー５にパチンコ球Ｂを入れて封印ねじ１２の頭部に当たるまで深く押し込む。そうすると、球ホルダー５からパチンコ球Ｂが抜けなくなって封印ねじ１２の頭部がブロックされる。このパチンコ球Ｂが障害になるから封印ねじ１２を緩めようとする不正工作が行えない。
【００１５】
次ぎに、この封印状態にある基盤ボックス１から内蔵ロムを外して検査する方法について説明する。封印ねじ１２の頭部がパチンコ球Ｂによってブロックされているから、適法に検査する場合であってもボックスカバー１ｂは外せない。そこで、封印されているねじ止め片４の切欠部７にニッパなどの工具の先を差し入れ、ねじ止め片４の基端部を切断する。このときねじ止め片４の基端部の幅ｘがねじ止め片４の幅ｙに対してほぼ１／２程度になっていて切断が容易である。
【００１６】
こうしてねじ止め片４を切断することにより封印が解除され、ボックスカバー１ｂを開くことができる。そして、内蔵ロムの検査終了後、ボックスベース１ａにボックスカバー１ｂを被せて取付片１８をねじ２２で止め、さらに残っている未使用のねじ止め片４を上下各１つづつ使って再度封印する。本実施形態１ではねじ止め片４が上下に各４つづつ計４組設けられているから、３回まで封印を解くことができる。止むを得ず４つ目の封印を解いた場合にはボックスカバー１ｂ自体を交換する。なお、遊技機がパチンコ機Ｐである場合、ゲームに使用するパチンコ球をそのまま使って封印すればよい。また、遊技機がスロットマシーンである場合、そのようなスロットマシーンはパチンコ遊技場の中やパチンコ遊技場と同一敷地内に設置されていることが多いため、封印に使用するパチンコ球の入手はきわめて容易である。
【００１７】
【発明の実施形態２】
図７乃至図９は発明の実施形態２を示すもので、図７は要部の分解斜視図、図８，図９は要部の縦断面図である。図１〜図６で説明した実施形態１と同一又は同機能部品に対しては同じ符号を付して説明を省略する。
【００１８】
この実施形態２の封印手段は、球ホルダー５を有底筒状にして前記ねじ止め片４と別体にしたものである。この球ホルダー５の底部５ａにねじ止め片４のねじ通孔６に連通する透孔５ｂが設けてあり、図８に示したように、封印ねじ１２を利用してねじ止め片４に球ホルダー５を取り付ける。封印解除方法は実施形態１と同じである。この実施形態２の封印手段は、取り付けられた球ホルダー５の個数によって封印回数が一見して明瞭であるため、実施形態１の封印手段に較べて視覚的なチェックが行いやすい利点がある。なお、図９は球ホルダー５の上部にパチンコ球Ｂの直径より細く絞った部分を設けて嵌め殺し構造としたものである。
【００１９】
【発明の実施形態３】
図１０，図１１は発明の実施形態３を示すもので、図１０は要部の縦断面図、図１１は基盤ボックスの使用状態を示す斜視図である。なお、図１〜図６で説明した実施形態１と同一又は同機能部品に対しては同じ符号を付して説明を省略する。
【００２０】
前記実施形態１，２の封印手段は基盤ボックス１自体に直接設けたが、実施形態３の封印手段は基盤ボックス１に間接的に設けられている。すなわち、実施形態３の封印手段は、基盤ボックス１の外側に被せる封印カバー１３と、遊技板２の裏面に取り付けられている入賞球集合カバー３に設けられている。
【００２１】
前記封印カバー１３は、合成樹脂製または金属製であって、基盤ボックス１の正面に被さる正面板１３ａと、その正面板１３ａの両横に形成した横板１３ｂと、前記正面板１３ａの上下両端にそれぞれ４つづつ形成したねじ止め片４とからなる。このねじ止め片４は、球ホルダー５の軸線がパチンコ機Ｐの前後方向に向いている点を除けば前記実施形態１のねじ止め片４と同じである。従って、球ホルダー５の中心部分にねじ通孔６がある。なお、ねじ止め片４と球ホルダー５は実施形態２のように別体構造にしてもよい。一方、入賞球集合カバー３には、封印カバー１３のねじ止め片４に対応する位置に突起１４が設けられていて、その突起１４にねじ孔９がある。
【００２２】
その他、図１１中、符号１３ｃは正面板１３ａに設けた窓穴であって、その窓穴１３ｃから基盤ボックス１の内部を見ることができ、さらに、窓穴１３ｃから基盤ボックス１の熱を逃がす。また、符号１５はボックスベース１ａの上下に突設した舌片、符号１６は基盤ボックス１取付用のねじである。
【００２３】
次ぎに、実施形態３の基盤ボックス１の封印方法について説明する。実施形態３の基盤ボックス１は、ボックスベース１ａの舌片１５にねじ１６を通して入賞球集合カバー３に取り付けられている。この基盤ボックス１の上に封印カバー１３を被せ、上下各１つのねじ止め片４のねじ通孔６に封印ねじ１２を通し、入賞球集合カバー３のねじ孔９にきつく締め付ける。そして、球ホルダー５にパチンコ球Ｂを入れて封印ねじ１２の頭部に当たるまで深く押し込む。そうすると、球ホルダー５からパチンコ球Ｂが抜けなくなって封印ねじ１２の頭部がブロックされる。基盤ボックス１は封印カバー１３で覆われているため、封印カバー１３を外さない限りボックスカバー１ｂが開けられない。
【００２４】
次ぎに、基盤ボックス１から内蔵ロムを外して検査する方法について説明する。実施形態１，２と同様に、封印ねじ１２の頭部がパチンコ球Ｂによってブロックされているから、適法に検査する場合であっても封印カバー１３は外せない。そこで、封印されているねじ止め片４をニッパなどの工具で切断する。こうすることにより封印が解除されるから封印カバー１３を外してボックスカバー１ｂを開くことができる。そして、内蔵ロムの検査終了後、残っている未使用のねじ止め片４を使って封印カバー１３を再度封印する。なお、実施形態３において基盤ボックス１自体の封印は本来不要であるが、より高度な不正防止効果を得るために基盤ボックス１に封印手段（封印シールなど）を設けてもよい。
【００２５】
しかして、この実施形態３のように、入賞球集合カバー３に封印手段を設けるようにすると、基盤ボックス１自体に直接封印手段を設けるより高い防犯効果が期待できる。すなわち、不正を目的として基盤ボックス１の内蔵ロムを交換するには封印カバー１３を取り外す必要があるが、前記のように封印カバー１３を外すと入賞球集合カバー３側にその痕跡が明瞭に残るため偽装工作を行う必要がある。従来のように基盤ボックス１自体に直接封印手段を設ける構造では、基盤ボックス１をパチンコ機Ｐから外して設備の整った場所で細工したり、或いは、ボックスカバー１ｂの複製を作ることも可能であるが、実施形態３のように入賞球集合カバー３を封印手段の一部に取り込むと、入賞球集合カバー３ごとパチンコ機Ｐから外す必要があるから作業が大掛になって偽装工作の困難性が高まり、また、入賞球集合カバー３と封印カバー１３の複製を作ってそっくり交換する方法も設備にコストが掛かり過ぎて現実的でない。このように実施形態３の封印手段は心理的、物理的に不正のためのハードルを高くすることになるから、不正行為を大幅に減少させることができる。
【００２６】
また、前記入賞球集合カバー３を機構板１７に置き換えて、封印手段に機構板１７を取り込むようにすればさらに不正のためのハードルを高くすることができる。具体的には、図２に一点鎖線で示したように機構板１７と一体に取付板１７ａを形成し、その取付板１７ａに前記入賞球集合カバー３の突起１４を設ければよい。その場合、図１０において入賞球集合カバー３が取付板１７ａに置き換わり、その取付板１７ａの内側に入賞球集合カバー３が位置することになる。機構板１７は、パチンコ機Ｐの中核をなす部品であって入賞球集合カバー３より取り扱い難く、また、複製の製造もパチンコ機メーカーと同等の設備がないと不可能であることから、非常に高い防犯効果が得られる。
【００２７】
なお、実施形態３には「基盤ボックスを封印する封印手段の一部を入賞球集合カバーまたは機構板に形成し、基盤ボックスを開いた痕跡が入賞球集合カバーまたは機構板に残るようにした基盤ボックスの封印構造。」という技術的思想が含まれている。この場合、図示した封印手段は一つの例示に過ぎないのであって、どのような封印手段であっても構わない。
【００２８】
ところで上記実施形態１〜３の説明により本願発明は「ボックスベースにボックスカバーを被せてなる遊技機用基盤ボックスの封印手段であって、ボックスカバーを閉じる締結手段と、締結手段を外すための不正工作が実行可能な部分を囲うように突設した栓ホルダーと、その栓ホルダーに嵌め殺し状態に嵌まり込む栓部材と、からなり、栓ホルダーに栓部材を嵌め込んで、前記締結手段を取り外すための不正工作が実行可能な部分をその栓部材でブロックするようにした遊技機用基盤ボックスの封印手段」というように把握することも可能である。そして本願発明は、複数組の封印手段を設けて複数回再封印可能としたものである。この場合、実施形態１〜３の封印ねじ１２が締結手段に相当し、同球ホルダー５が栓ホルダーに相当し、同パチンコ球Ｂが栓部材に相当する。もちろん、栓部材は、パチンコ球Ｂ以外の硬球や、金属又はセラミック製の柱体（円柱形、多角柱形）などであってもよく、また、締結手段も普通のねじやリベットのようなかしめ部材など、締結することができるものであればよい。
【００２９】
【発明の効果】
本発明の遊技機は、例えばホルダー部たる球ホルダーに栓部材たるパチンコ球を嵌め殺し構造にして嵌め込むことによりそのパチンコ球で締結部材たる封印ねじの頭部をブロックするため、封印ねじを緩ませる不正工作自体を封じることができる。なお、栓部材としてパチンコ球を使用するようにすれば、再封印が簡単・迅速に行える効果がある。
【図面の簡単な説明】
【図１】  要部を示す基盤ボックスの分解斜視図である。
【図２】  パチンコ機の裏面図である。
【図３】  一部を断面にした基盤ボックスの正面図である。
【図４】  基盤ボックスの平面図である。
【図５】  基盤ボックスの平面図である。
【図６】  基盤ボックスの要部断面図である。
【図７】  要部の分解斜視図である。
【図８】  要部の縦断面図である。
【図９】  要部の縦断面図である。
【図１０】  要部の縦断面図である。
【図１１】  基盤ボックスの使用状態を示す斜視図である。
【符号の説明】
Ｐ  …パチンコ機（遊技機）
Ｂ  …パチンコ球（栓部材）
１  …遊技機用基盤ボックス
１ａ…ボックスベース（第１部材）
１ｂ…ボックスカバー（第２部材）
５  …球ホルダー（ホルダー部）
１２…封印ねじ（締結部材）